(57)【要約】【課題】  波長選択吸収層を有し、プラズマディスプレイ用フィルターに用いた場合に、色純度を低下させる波長の光および近赤外線を選択的に吸収し得る波長選択吸収フィルムであって、フィルムＴＤ方向における色調の変動が小さく、且つ波長選択吸収層の外観が優れている波長選択吸収フィルムとその製造方法を提供する。【解決手段】  近赤外線吸収色素、ネオンカット色素、樹脂、および界面活性剤を含有する波長選択吸収層と、透明基材を構成要素に含む波長選択吸収フィルムであって、所定の測定箇所毎に測定した色調から算出されるＴＤ方向の色差Δの最大値が１．０以下であることを特徴とする波長選択吸収フィルムである。【特許請求の範囲】
【請求項１】
波長選択吸収層と透明基材を構成要素に含む波長選択吸収フィルムであって、
上記波長選択吸収層は、近赤外線吸収色素、ネオンカット色素、樹脂および界面活性剤を含有するものであり、
上記フィルムは、下記測定法（Ａ）により求められるＴＤ方向の色差Δの最大値が１．０以下であることを特徴とする波長選択吸収フィルム。
（Ａ）上記フィルムの色調測定を行うに当たり、該フィルムのＴＤ方向の一端を第１端部、他端を第２端部としたとき、第１端部から内側０．１ｍ以内の箇所で１番目の測定を、第２端部から内側０．１ｍ以内の箇所で最終の測定を行うと共に、１番目の測定箇所から最終の測定箇所の間で、略等間隔に３箇所測定を行い、これら５箇所の測定箇所において、下記式で定義される色差Δを算出する。
ΔＥ＝［（Ｌa−Ｌm）2＋（ａa−ａm）2＋（ｂa−ｂm）2］1/2
ここで、Ｌm、ａm、ｂmは、各測定箇所における色調Ｌ、ａ、ｂを意味し、Ｌa、ａa、ｂaは、全測定箇所における色調Ｌ、ａ、ｂの平均値を意味する。
【請求項２】
上記近赤外線吸収色素として、ジインモニウム塩化合物を含むものである請求項１に記載の波長選択吸収フィルム。
【請求項３】
上記ネオンカット色素として、スクアリリウム系化合物を含むものである請求項１または２に記載の波長選択吸収フィルム。
【請求項４】
請求項１〜３のいずれかに記載の波長選択吸収フィルムを構成要素に含むものであることを特徴とする波長選択吸収フィルター。
【請求項５】
近赤外線吸収色素、ネオンカット色素、樹脂、界面活性剤、および有機溶剤を含む塗布液を、透明基材上に連続的に塗布、乾燥して波長選択吸収層を形成する波長選択吸収フィルムの製造方法であって、
上記塗布液の塗布をキスコート方式により行い、透明基材の塗布部におけるＭＤ方向の張力を０．５N／ｍｍ2以上１．２Ｎ／ｍｍ2以下に制御することを特徴とする波長選択吸収フィルムの製造方法。
【請求項６】
上記塗布液の塗布を、グラビアロールを有するグラビア・キスコート装置で行い、
フィルムの走行速度Ｆ（ｍ／分）に対する上記グラビアロールの回転速度Ｇ（ｍ／分）の速度比Ｇ／Ｆを、０．８〜１．５とする請求項５に記載の製造方法。
【請求項７】
上記グラビア・キスコート装置として、リバース回転するグラビアロールによって液供給パンから塗布液をかき上げ、ドクターブレードによって余分な塗布液をかき落とす機構を有してなり、且つドクターブレードの少なくともグラビアロールと接する部分は、セラミックス製またはニッケル製である装置を用いる請求項６に記載の製造方法。
【請求項８】
上記塗布液を塗布した後の乾燥工程が、下記の第１乾燥工程、第２乾燥工程、および冷却工程からなる請求項５〜７のいずれかに記載の製造方法。
第１乾燥工程：温度が２０〜８０℃、風速が２〜３０ｍ／秒の風によって乾燥する；
第２乾燥工程：温度が１２０〜１８０℃の風で、５〜１８０秒乾燥する；
冷却工程：温度が、波長選択吸収層を構成する樹脂のガラス転移温度以下の風によって
冷却する。
【発明の詳細な説明】
【技術分野】
【０００１】
本発明は、プラズマディスプレイ用フィルターに好適な波長選択吸収フィルムに関するものである。
【背景技術】
【０００２】
近赤外線の吸収能を有する近赤外線吸収フィルムは、近赤外線を遮断し、可視光を通過させる性質を有しており、各種の用途に使用されている。
【０００３】
近年、薄型大画面ディスプレイとして注目されているプラズマディスプレイは、プラズマディスプレイから放出される近赤外線により、近赤外線リモコンを使用する電子機器が誤動作を起こす問題がある。そこで、プラズマディスプレイ前面に近赤外線吸収フィルムを構成要素とする近赤外線吸収フィルターを配し、該ディスプレイから放出される近赤外線を吸収することで、上記の問題の解決を図ることが行われている。
【０００４】
プラズマディスプレイでは、放電によりキセノンとネオンの混合ガスを励起することで真空紫外線を放射させ、その真空紫外線励起による赤、青、緑の各蛍光体の発光を利用して３原色発光を得ている。その際、ネオン原子が励起された後基底状態に戻る際に６００ｎｍ付近を中心とする所謂ネオンオレンジ光を発光する。このため、プラズマディスプレイでは、赤色にオレンジ色が混ざり鮮やかな赤色が得られないという欠点がある。そこで、表示色の色バランスを補正するため、特定の波長の光を吸収するフィルターを用いて、色補正を行うことが提案されている。
【０００５】
上記の色補正を行うと共にプラズマディスプレイパネルから発せられる近赤外線の除去を行うために、色純度を低下させる波長の光と近赤外線を選択的にカットする波長選択吸収フィルターとして、透明支持体と、特定の色素およびバインダー樹脂を含有するフィルター層とを有する光学フィルターや近赤外線吸収フィルム（波長選択吸収フィルム）が提案されている（例えば、特許文献１、２）。
【０００６】
また、近年はプラズマディスプレイも大画面化の傾向にあるが、こうした大画面ディスプレイに適用した際に、光線透過率や色斑が少なくなるようなものとして、フィルム長手方向における特定波長の光線透過率の変動が少ない波長制御フィルムが提案されている（例えば、特許文献３）。この方法は、光線吸収層をフィルムに塗布後、乾燥または冷却前に特定波長のレーザー光を照射し、その透過強度の変動が小さくなるようにマイクログラビアの回転数を制御することにより塗布量を均一にし、プラズマディスプレイなどの大画面に貼り付けた際に、画面内の光線透過率や色斑を少なくするというものである。
【０００７】
近年のプラズマディスプレイの高輝度化、精細化による高画質化の要求に対しては、上記の基本特性のみならず、画面全体にわたって色調の変動が小さいこと、並びに近赤外線吸収層（波長選択吸収層）の外観が優れていることも重要になっている。
【０００８】
しかしながら、上記の特許文献１や２に記載の技術では、波長選択吸収フィルムの色調の変動や外観を改善する方法に関しては記載も示唆もされておらず、プラズマディスプレイ用フィルターに用いた場合に、画面全体の色調の変動が、必ずしも十分に抑制されているとはいえない。また、特許文献３に記載の方法では、フィルム長手方向（ＭＤ方向）の色調の変動をある程度制御することはできるが、フィルム幅方向（ＴＤ方向）での色調の変動抑制は十分ではなく、やはり、プラズマディスプレイ用フィルターに用いた場合に、画面全体の色調の変動を、必ずしも十分に抑制できるものではなく、外観に関しても、満足のいくものとはいえなかった。
【特許文献１】特開２００１−２２８３２４号公報
【特許文献２】特開２００２−１８７２２９号公報
【特許文献３】特開２００２−３４１１３２号公報
【発明の開示】
【発明が解決しようとする課題】
【０００９】
本発明は、上記事情に鑑みてなされたものであり、その目的は、波長選択吸収層を有し、プラズマディスプレイ用フィルターに用いた場合に、色純度を低下させる波長の光および近赤外線を選択的に吸収し得る波長選択吸収フィルムであって、フィルムＴＤ方向における色調の変動が小さく、且つ波長選択吸収層の外観が優れている波長選択吸収フィルムとその製造方法を提供することにある。
【課題を解決するための手段】
【００１０】
上記目的を達成し得た本発明の波長選択吸収フィルムは、波長選択吸収層と透明基材を構成要素に含むものであって、上記波長選択吸収層は、近赤外線吸収色素、ネオンカット色素、樹脂および界面活性剤を含有するものであり、上記フィルムは、下記測定法（Ａ）により求められるＴＤ方向［フィルム製造時の走行方向（ＭＤ方向）に直交する方向］の色差Δの最大値が１．０以下であるところに要旨を有するものである。
（Ａ）上記フィルムの色調測定を行うに当たり、該フィルムのＴＤ方向の一端を第１端部、他端を第２端部としたとき、第１端部から内側０．１ｍ以内の箇所で１番目の測定を、第２端部から内側０．１ｍ以内の箇所で最終の測定を行うと共に、１番目の測定箇所から最終の測定箇所の間で、略等間隔に３箇所測定を行い、これら５箇所の測定箇所において、下記式（１）で定義される色差Δを算出する。
ΔＥ＝［（Ｌa−Ｌm）2＋（ａa−ａm）2＋（ｂa−ｂm）2］1/2      （１）
ここで、Ｌm、ａm、ｂmは、各測定箇所における色調Ｌ、ａ、ｂを意味し、Ｌa、ａa、ｂaは、全測定箇所における色調Ｌ、ａ、ｂの平均値を意味する。
【００１１】
上記波長選択吸収フィルムとしては、上記近赤外線吸収色素として、ジインモニウム塩化合物を含むものが、また、上記ネオンカット色素として、スクアリリウム系化合物を含むものが好ましい。
【００１２】
また、近赤外線吸収色素、ネオンカット色素、樹脂、界面活性剤、および有機溶剤を含む塗布液を、透明基材上に連続的に塗布、乾燥して波長選択吸収層を形成する波長選択吸収フィルムの製造方法であって、上記塗布液の塗布をキスコート方式により行い、透明基材の塗布部におけるＭＤ方向の張力を０．５N／ｍｍ2以上１．２Ｎ／ｍｍ2以下に制御する波長選択吸収フィルムの製造方法も本発明に包含される。
【００１３】
上記本発明法においては、上記塗布液の塗布を、グラビアロールを有するグラビア・キスコート装置で行い、フィルムの走行速度Ｆ（ｍ／分）に対するグラビアロールの回転速度Ｇ（ｍ／分）の速度比Ｇ／Ｆを、０．８〜１．５とすることが好ましい。上記グラビア・キスコート装置としては、リバース回転するグラビアロールによって液供給パンから塗布液をかき上げ、ドクターブレードによって余分な塗布液をかき落とす機構を有してなり、且つドクターブレードの少なくともグラビアロールと接する部分は、セラミックス製またはニッケル製である装置が好適である。
【００１４】
また、上記本発明法においては、上記塗布液を塗布した後の乾燥工程が、下記の第１乾燥工程、第２乾燥工程、および冷却工程からなることが推奨される。
第１乾燥工程：温度が２０〜８０℃、風速が２〜３０ｍ／秒の風によって乾燥する；第２乾燥工程：温度が１２０〜１８０℃の風で、５〜１８０秒乾燥する；冷却工程：温度が、波長選択吸収層を構成する樹脂のガラス転移温度以下の風によって冷却する。
【００１５】
なお、本明細書において、「フィルム」は、所謂シートも含む概念である。
【発明の効果】
【００１６】
本発明の波長選択吸収フィルムは、フィルター部材としてプラズマディプレイの前面に設置した場合、従来の波長選択吸収フィルムと同様に、ディスプレイから放出される不要な近赤外線を吸収して近赤外線リモコンを用いる電子機器の誤動作を防ぎ、かつ色純度を低下させるオレンジ色の波長の光を吸収して色補正をおこなうことができるだけでなく、フィルムの幅方向における色調の変動が小さいために、プラズマディスプレイ用フィルターに用いた場合に、ディスプレイ画面全体に亘って色調の変動を抑えることができ、さらに波長選択吸収層の外観が良好で、光学的な欠点が極めて少ないため、プラズマディスプレイの高画質化に寄与し得る。
【００１７】
また、本発明の製造方法によれば、上記の如き波長選択吸収フィルムを良好に製造し得る。
【発明を実施するための最良の形態】
【００１８】
以下、本発明の波長選択吸収フィルムについて詳細に説明する。
【００１９】
＜色差Δ＞
本発明の波長選択吸収フィルムは、上記測定法（Ａ）により求められるフィルムＴＤ方向の色差Δの最大値が１．０以下であるところに最大の特徴を有している。色差Δは、下記の測定法により求められる。
【００２０】
まず、フィルムの色調測定を行う。色調測定は、フィルムのＴＤ方向の一端を第１端部、他端を第２端部としたとき、第１端部の内側０．１ｍ以内の箇所で１番目の測定を、第２端部の内側０．１ｍ以内の箇所で最終の測定を行うと共に、１番目の測定箇所から最終の測定箇所の間で、略等間隔に３箇所測定を行う。
【００２１】
色調の測定は、色差計（日本電色工業社製「ＺＥ−２０００」など）を用い、標準光をＤ６５光源とし、視野角を１０度として、波長選択吸収層側に光を照射して行い、Ｌａｂ表示系のＬ値、ａ値、ｂ値を求める。色調の測定は、上記各測定箇所において測定サンプルを切り出し、これらのサンプルについて測定を行う方法を採用してもよく、測定サンプルを切り出すことなく、フィルムを直接測定する方法を採用しても構わない。
【００２２】
Ｌ値は明度を示す尺度であり、数値が大きいほど黒ずみが少なく、明度が高いことを意味している。ａ値は赤味を示す尺度であり、数値が大きいほど赤味が強く、マイナス側に数値が大きくなるほど緑味が強くなる。ｂ値は黄味を示す尺度であり、数値が大きいほど黄味が強く、マイナス側に数値が大きくなるほど青味が強くなる。
【００２３】
各測定箇所において、Ｌ値、ａ値、ｂ値を求め、上記式（１）によって各測定箇所の色差Δを算出する。このようにして求められる各測定箇所での色差Δのうち、最大の値を示すものが１．０以下でなければならない。
【００２４】
ＴＤ方向の色差Δの最大値が上記上限値を超えるフィルムでは、プラズマディスプレイ用フィルターに用いた場合に、ディスプレイの画面の色斑の原因となることがある。上記色差Δの最大値は０．５以下であることが好ましく、１．０以下であることがより好ましい。
【００２５】
フィルムの色調としては、例えば、上記ａ値は−１０．０以上＋１０．０以下、上記ｂ値は−１０．０以上＋１０．０以下であることが好ましい。ａ値およびｂ値がこのような範囲内であれば、プラズマディスプレイ用フィルターに用いた場合でも、ナチュラルな色となる。このような色調の調整は、近赤外線吸収色素およびネオンカット色素の種類、これら色素の、波長選択吸収層の平面視での単位面積当たりの濃度、さらには、他の色素の混合により達成できる。なお、本発明のフィルムは、後述するように、その前面および／または裏面に、他の光学フィルムや粘着層などを設けるなどして、プラズマディスプレイ用フィルターとされることがあるが、こうした層などが設けられる場合には、これらも含めてナチュラルな色となるように、色調の調整を行うことが望ましい。
【００２６】
Ｌ値は高いほど好ましい。Ｌ値を高くするほど、プラズマディスプレイ用フィルターとしたときに明るいプラズマディスプレイを提供できる。Ｌ値は、６５以上であることが好ましく、７０以上であることがより好ましい。
【００２７】
また、本発明のフィルムでは、特に長尺のフィルムである場合には、フィルムのＭＤ方向において、下記測定法（Ｂ）により求められる色差Δの最大値が２．０以下であることが好ましく、１．０以下であることがより好ましい。
（Ｂ）上記フィルムの色調測定を行うに当たり、該フィルムのＭＤ方向について、フィルム物性が安定している定常領域の一端を第I端部、他端を第II端部としたとき、第I端部の内側２ｍ以内で１番目の測定を、また、第II端部の内側２ｍ以内で最終の測定を行うと共に、１番目の測定箇所から約１０ｍ毎に測定を行い、各測定箇所において上記式（１）で定義される色差ΔＥを算出する。
【００２８】
上記測定法（Ｂ）を、より詳細に説明する。フィルムの色調測定は、フィルムのＭＤ方向について、フィルム物性が安定している定常領域で行うこととし、該定常領域の一端を第I端部、他端を第II端部としたときに、第I端部の内側２ｍ以内で１番目の測定を、また、第II端部の内側２ｍ以内で最終の測定を行うと共に、１番目の測定箇所から約１０ｍ毎に測定を行う。
【００２９】
なお、色調測定をフィルムの定常領域で測定するのは、本発明のフィルムは、後述するように透明基材上に波長選択吸収層を形成するための塗布液を塗布し、乾燥させる工程を経て製造されるものであるが、長尺のフィルムの場合には、かかる塗布液の塗布工程や乾燥工程での操業が安定するまでは、フィルム物性が変動することがある。本発明の上記好適な態様は、上記塗布工程や乾燥工程での操業が不安定な時に得られるフィルムの色差Δの均一化を図ることを技術思想とするものではなく、これらの工程での操業が安定し、製造が定常状態に入ったときに得られる物性の安定したフィルムにおいて、従来よりも高度にＭＤ方向の色差Δの均一化を図るものである。
【００３０】
なお、フィルム物性が安定した定常領域（製造が定常状態に入ったときに得られるフィルム部分）の数は、通常、一つのフィルム中、一箇所（フィルム全長に亘って一箇所の場合を含む）だけである。しかし、製造状況によっては複数箇所に存在することもあり得るので、この場合、色調測定は、定常領域でのみ行えばよい。また、上記定常領域は、例えば、色差Δの値で評価できる。すなわち、色差Δが２以下で安定しているところを定常領域と見ればよい。
【００３１】
また、上記のフィルムのＴＤ方向の色調測定についても、当然にフィルムの定常領域で行う。
【００３２】
色調の測定は、フィルムＴＤ方向と同じ方法を採用すればよい。その際、フィルムを巻き取ってフィルムロールとし、該フィルムロールからフィルムを引き出し、別のロールに巻き取りつつ測定するオンライン測定法によってもよく、上記各測定箇所において測定サンプルを切り出し、これらのサンプルについて色調を測定する方法を採用してもよい。
【００３３】
なお、各測定箇所におけるフィルムの測定部位としては、フィルムのＴＤ方向の位置を合わせることが一般的であるが、本発明のフィルムでは、フィルムのＴＤ方向における色調の変動が抑制されているため、フィルムの測定部位を測定箇所毎に変更しても、良好にフィルムＭＤ方向の色調変動を評価することができる。
【００３４】
各測定箇所において、Ｌ値、ａ値、ｂ値を求め、上記式（１）によって各測定箇所の色差Δを算出する。このようにして求められる各測定箇所での色差Δのうち、最大の値を示すものが２．０以下であることが推奨される。
【００３５】
色差Δの最大値が上記上限値を超えるフィルムでは、フィルムＭＤ方向での色調の変動が大きく、該フィルムから得られる多数のプラズマディスプレイ用フィルターにおいて、製品間（フィルター間）の色調が異なる場合があり、品質の安定したプラズマディスプレイ用フィルターの提供が困難となることがある。
【００３６】
このような色調の変動が抑制された（すなわち、フィルムＴＤ方向、さらにはフィルムＭＤ方向の色差Δの最大値が上記上限値以下に制御された）波長選択吸収フィルムは、下記の各構成および製造方法を採用することにより、得ることができる。
【００３７】
＜透明基材＞
透明基材としては、高い透明性が確保できる点や、コスト、取り扱い性の容易さの点から、プラスチックフィルムが好ましい。具体的には、ポリエステル系、アクリル系、セルロース系、ポリオレフィン系（ポリエチレン、ポリプロピレンや、その他の共重合タイプのもの）、ポリ塩化ビニル系、ポリカーボネート、フェノール系、ウレタン系、の各種樹脂フィルムなどが挙げられる。中でも、耐熱性、柔軟性のバランスが良好である点でポリエステル系フィルムが好ましく、ポリエチレンテレフタレート（ＰＥＴ）フィルムがより好ましい。
【００３８】
透明基材の「透明」とは、全光線透過率が８０％以上、好ましくは９０％以上であることを意味している。また、透明基材のヘーズは、５％以下であることが好ましく、２％以下であることがより好ましい。透明基材の透明性が劣る場合には、ディスプレイの輝度を低下させる他、画像のシャープさが不良となる。なお、上記全光線透過率およびヘーズは、ＪＩＳ  Ｋ  ７１３６に規定の方法により測定される値である。
【００３９】
ポリエステル系フィルムに用いられるポリエステルとしては、テレフタル酸、イソフタル酸、ナフタレンジカルボン酸などの芳香族ジカルボン酸またはそのエステルと、エチレングリコール、ジエチレングリコール、１，４−ブタンジオール、ネオペンチルグリコールなどのグリコールについてエステル化反応あるいはエステル交換反応を行い、ついで重縮合反応させて得られる物が挙げられ、通常はポリマーチップの形態で供給される。上記ポリエステル系フィルムとしては、このポリマーチップを溶融し、Ｔダイからシート状に押出して未延伸フィルムとし、この未延伸フィルムの少なくとも一軸方向（好ましくは二軸方向）に延伸し、次いで熱固定処理、緩和処理などを行うことで製造されるフィルムが一般的である。
【００４０】
ポリエステル系フィルムとしては、強度などの観点から、二軸延伸フィルムが特に好ましい。延伸方法としては、チューブラ延伸法、同時二軸延伸法、逐次二軸延伸法などが一般的であるが、得られるフィルムの平面性、寸法安定性、厚み斑などの点で逐次二軸延伸法が推奨される。逐次二軸延伸フィルムは、例えば、ポリエステル系未延伸フィルムの長手方向に、ポリエステルのガラス転移温度（Ｔｇ）〜Ｔｇ＋３０℃で、２．０〜５．０倍にロール延伸し、引き続き、幅方向について、テンターを用いて１２０〜１５０℃で１．２〜５．０倍に延伸し、さらに二軸延伸後に２２０℃以上の温度で熱固定処理を行い、次いで幅方向に３〜８％緩和させることで製造される。
【００４１】
透明基材には、ハンドリング性（例えば、波長選択吸収層の積層後の巻き取り性）を向上させる目的で、粒子を含有させて表面に突起を形成させることが望ましい。粒子としては、シリカ、カオリナイト、タルク、炭酸カルシウム、ゼオライト、アルミナ、硫酸バリウム、カーボンブラック、酸化亜鉛、酸化チタンなどの無機粒子；アクリル系樹脂、ポリアミド系樹脂、ポリスチレン系樹脂、ポリエステル系樹脂、ベンゾグアナミン・ホルマリン縮合物などの有機粒子；が挙げられる。フィルムの透明性を維持するためには、透明基材中の粒子の含有量は少ないことが好ましく、例えば１０００ｐｐｍ以下にすることが好ましい。また、透明基材には、必要に応じて各種機能を付与するために、着色材、耐光剤、蛍光剤、帯電防止剤などの各種添加剤を含有させてもよい。
【００４２】
透明基材は、単層構造であってもよく、例えば、２層以上（２層、３層、４層など）の積層構造であってもよい。積層構造の場合には、各層の機能を独立して設計することができるといった利点がある。例えば、２層構造の場合には、波長選択吸収フィルムの表層となる層を薄層とし、該層にのみ上記粒子を含有させて表面に凹凸を形成し、該表層と波長選択吸収層の間となる層（中心層）は厚層として、該層には上記粒子を実質的に含有させない構成とすることで、粒子の使用量を低減して透明性を向上させつつ、高度なハンドリング性を確保できる。
【００４３】
上記の「粒子を実質的に含有させない」状態とは、外部から不可避的に混入する粒子を除き、積極的に粒子を含有させていない状態のことであり、例えば無機粒子の場合には、蛍光Ｘ線法で定量分析を行った際に、検出限界以下となるような状態のことである（本明細書において、以下同じ）。
【００４４】
積層構造の透明基材の製造方法は特に制限されないが、生産性を考慮すると、各層の原料を別個の押出機から押出し、１つのダイスに導いて積層構造の未延伸フィルムとし、これに上記の延伸を施すといった所謂共押出法が好ましく採用できる。
【００４５】
また、透明基材には、該基材と波長選択吸収層との密着性の向上や、透明基材の透明性向上を目的として、アンカー層を設けることも好ましい。
【００４６】
アンカー層を構成する樹脂としては、ポリエステル系樹脂、ポリウレタン系樹脂、ポリエステルウレタン系樹脂、アクリル系樹脂、メラミン系樹脂などが挙げられが、透明基材のベース層（透明基材の主体となる層）および波長選択吸収層と密着性に優れる素材を選択することが好ましい。例えば、透明基材のベース層および波長選択吸収層の樹脂がポリエステル系樹脂の場合には、アンカー層を構成する樹脂としては、ポリエステル系樹脂やポリエステルウレタン系樹脂を選択することが望ましい。
【００４７】
アンカー層には、波長選択吸収層との密着性向上や、耐水性向上を目的として、架橋構造を導入することも好ましい。このような架橋構造は、架橋剤（尿素系、エポキシ系、メラミン系、イソシアネート系などの各種架橋剤）を用いることで導入できる。特に、アンカー層を構成する樹脂が、高温高湿下において白化したり強度低下したりする場合には、架橋構造の導入による改善効果が顕著に発現する。
【００４８】
ハンドリング性向上を目的として、表面凹凸形成のために用いられる上記粒子は、アンカー層に含有させてもよい。なお、透明性向上の観点からは、アンカー層に用いられる樹脂と屈折率の近い粒子を選択することが望ましく、例えば、アンカー層にポリエステル系樹脂（共重合ポリエステル樹脂など）を用いる場合には、シリカが好適である。透明基材のベース層には実質的に粒子を含有させず、アンカー層にのみ粒子を含有させる構成を採用することで、粒子の使用量を低減して透明性を向上させつつ、高度なハンドリング性を確保できる。
【００４９】
さらに、アンカー層には、各種機能を付与させる目的で、界面活性剤、帯電防止剤、蛍光染料、蛍光増白剤、紫外線吸収剤などの各種添加剤を含有させてもよい。
【００５０】
また、アンカー層は単層構造であってもよく、必要に応じて２層以上（２層、３層、４層など）の積層構造としてもよい。
【００５１】
アンカー層の形成方法としては、グラビアコート方式、キスコート方式、ディップ方式、スプレイコート方式、カーテンコート方式、エアナイフコート方式、ブレードコート方式、リバースロールコート方式などの公知の方法を用いて、透明基材のベース層（上記樹脂フィルム）の製造工程中にアンカー層を設けるインラインコート方式、該ベース層製造後にアンカー層を設けるオフラインコート方式が挙げられる。これらの方式のうち、インラインコート方式が特に好ましい。インラインコート方式であれば、コスト面で優れるだけでなく、塗布厚みを薄くすることが容易であるので、粒子をアンカー層に含有した場合、ベース層中に粒子を実質的に含有させる必要がなく、アンカー層に含有させた粒子で効率よく突起を形成させることができる。そのため、透明基材のハンドリング性を向上させつつ、より透明性を高めることができる。
【００５２】
透明基材の好適な厚みは、その素材により変動するが、例えばポリエステル系フィルムの場合には、３５μｍ以上、より好ましくは５０μｍ以上であって、２６０μｍ以下、より好ましくは２００μｍ以下であることが望ましい。厚みが薄過ぎると、ハンドリング性が不良となる他、波長選択吸収層形成の際に、残留溶剤量を低減すべく厳しい条件で乾燥を施すと、熱シワが発生して平面性が不良となることがある。他方、厚みが厚過ぎると、コスト面で不利である他、ロール状に巻き取って保存したときに巻き癖による平面性不良が発生することがある。
【００５３】
また、アンカー層の厚みは、目的とする機能が確保できる限り特に制限はないが、例えば０．０１μｍ以上５μｍ以下であることが好ましい。厚みが薄過ぎるとアンカー層としての機能が発現し難くなり、他方、厚過ぎると透明性が損なわれ易い。
【００５４】
＜波長選択吸収層＞
波長選択吸収層は、近赤外線吸収色素、ネオンカット色素、樹脂および界面活性剤を主たる構成要素とする層であり、透明基材上（透明基材がアンカー層を有する場合はアンカー層上）に形成される層である。なお、上記の「主たる構成要素」とは、波長選択吸収層中、近赤外線吸収色素、ネオンカット色素、樹脂および界面活性剤の合計量が、８０〜１００質量％であることを意味する。
【００５５】
近赤外線吸収色素とは、８００〜１２００ｎｍに極大吸収波長を有する色素である。具体的には、ジインモニウム系、フタロシアニン系、ジチオール金属錯体系、ナフタロシアニン系、アゾ系、ポリメチン系、アントラキノン系、ピリリウム系、チオピリリウム系、スクアリリウム系、クロコニウム系、テトラデヒドオコリン系、トリフェニルメタン系などの各種化合物が挙げられる。これらの近赤外線吸収色素は、単独でまたは２種以上を混合して使用される。中でも、近赤外域の吸収が大きく、吸収域も広く、可視光域の透過率も高い下記一般式（２）で示されるジンイモニウム塩化合物を含むことが好ましい。
【００５６】
【化１】
2005189736.tif 000002
【００５７】
（式中、Ｒ1〜Ｒ8は、水素原子、アルキル基、アリール基、アルケニル基、アラルキル基、アルキニル基を表わし、それぞれ同じであっても、異なっていても良い。Ｒ9〜Ｒ12は、水素原子、ハロゲン原子、アミノ基、シアノ基、ニトロ基、カルボキシル基、アルキル基、アルコキシル基を表わし、それぞれ同じであっても、異なっていても良い。Ｒ1〜Ｒ12で置換基を結合できるものは置換基を有しても良い。Ｘ-は陰イオンを表わす。）
上記式（２）中のＲ1〜Ｒ8の具体例としては、以下のものが挙げられる。アルキル基としてはメチル基、エチル基、ｎ−プロピル基、ｉｓｏ−プロピル基、ｎ−ブチル基、ｉｓｏ−ブチル基、ｔｅｒｔ−ブチル基、ｎ−アミル基、ｎ−ヘキシル基、ｎ−オクチル基、２−ヒドロキシエチル基、２−シアノエチル基、３−ヒドロキシプロピル基、３−シアノプロピル基、メトキシエチル基、エトキシエチル基、ブトキシエチル基などが挙げられる。アリール基としてはフェニル基、フルオロフェニル基、クロロフェニル基、トリル基、ジエチルアミノフェニル、ナフチル基などが、アルケニル基としては、ビニル基、プロペニル基、ブテニル基、ペンテニル基などが挙げられる。アラルキル基としては、ベンジル基、ｐ−フルオロベンジル基、ｐ−クロロフェニル基、フェニルプロピル基、ナフチルエチル基などが挙げられる。
【００５８】
また、上記式（２）中のＲ9〜Ｒ12としては、水素、フッ素、塩素、臭素、ジエチルアミノ基、ジメチルアミノ基、シアノ基、ニトロ基、メチル基、エチル基、プロピル基、トリフルオロメチル基、メトキシ基、エトキシ基、プロポキシ基などが挙げられる。Ｘ-は、フッ素イオン、塩素イオン、臭素イオン、ヨウ素イオン、過塩素酸塩イオン、ヘキサフルオロアンチモン酸イオン、ヘキサフルオロリン酸イオン、テトラフルオロホウ酸イオンなどが挙げられる。ただし、本発明では上記で挙げたものに限定されるものではない。これらの一部は市販品として入手可能であり、例えば日本化薬社製「Ｋａｙａｓｏｒｂ  ＩＲＧ−０２２」、日本カーリット社製「ＣＩＲ−１０８５」などを好適に用いることができる。
【００５９】
本発明の波長選択吸収フィルムでは、上記式（２）で表わされるジインモニウム塩化合物と共に、近赤外域での吸収域の拡大、色目の調整を目的として、他の近赤外線吸収色素を併用することも好ましい。
【００６０】
本発明のフィルムでは、近赤外線吸収色素は、対象とする近赤外線を十分に吸収する一方、可視光線の透過率は損なわないように、その種類や比率を調整して波長選択吸収層に含有させることが求められる。例えば、波長選択吸収層の厚みと近赤外線吸収色素の含有量を調整して、波長選択吸収フィルムの波長選択吸収層の平面視における単位面積当たりの近赤外線吸収色素の濃度が、０．０１〜１．０ｇ／ｍ2となるように制御することが推奨される。こうした波長選択吸収層の平面視における単位面積当たりの近赤外線吸収色素量が少な過ぎると、近赤外線域での吸収能が不足することがあり、反対に多過ぎると、可視光域での透過率（すなわち透明性）が不足して、プラズマディスプレイ用フィルターとした場合にディスプレイの輝度を低下させることがある。
【００６１】
本発明のフィルムの波長吸収吸収層には、上記近赤外線吸収色素に加えて、ネオンカット色素を含有させる。本発明のフィルムが主に適用されるプラズマディスプレイでは、６００ｎｍ付近を中心とするネオン光（所謂ネオンオレンジ光）が発生し、赤色にオレンジ色が混ざることで、鮮やかな赤色が得られないという欠点がある。本発明のフィルムでは、ネオンカット色素の作用によって、上記ネオン光を効果的に吸収できるため、該フィルムから構成されるフィルターが適用されたプラズマディスプレイでは、鮮やかな赤色を得ることができるようになる。
【００６２】
ネオンカット色素とは、５５０〜６２０ｎｍの波長域に最大吸収を有する色素であり、具体的には、シアニン系、スクアリリウム系、アゾメチン系、キサンテン系、オキソノール系、アゾ系などの各種化合物が挙げられる。中でも、ネオン光に対してシャープな吸収がある点で、スクアリリウム系化合物が好適に用いられる。
【００６３】
本発明のフィルムでは、ネオンカット色素は、５５０〜６２０ｎｍの波長領域において、シャープな吸収を有し、該波長領域での最大吸収波長の光線透過率が３０％以下となるように調整して波長選択吸収層に含有させることが好ましい。例えば、波長選択吸収層の厚みとネオンカット色素の含有量を調整して、波長選択吸収フィルムの波長選択吸収層の平面視における単位面積当たりのネオンカット色素の濃度が０．００１〜１．０ｇ／ｍ2となるように制御することが推奨される。こうした波長選択吸収層の平面視における単位面積当たりのネオンカット色素量が少な過ぎると、ネオン光の吸収能が不足することがあり、反対に多過ぎると、可視光域での透過率（すなわち透明性）が不足して、プラズマディスプレイ用フィルターとした場合にディスプレイの輝度を低下させることがある。
【００６４】
波長選択吸収層に用いる樹脂は、近赤外線吸収色素およびネオンカット色素を均一に溶解または分散でき、且つ透明性が確保できるものであれば特に制限はないが、例えば、ポリエステル系、アクリル系、ポリアミド系、ポリウレタン系、ポリオレフィン系、ポリカーボネート系の各種樹脂が好適である。特に、柔軟性などの特性に優れる点で、ポリエステル系樹脂が推奨される。樹脂が硬い場合には、プラズマディスプレイパネルと貼り合わせるための粘着層の形成工程や、プラズマディスプレイパネルとの貼り合わせ工程中に、微小なひび割れが発生する場合がある。
【００６５】
さらに、樹脂のＴｇが、本発明のフィルムを適用する機器（例えば、プラズマディスプレイ）の使用保証温度以上であることが望ましい。樹脂のＴｇが適用機器の使用保証温度未満であると、フィルムの使用の際に樹脂中に分散させた色素同士が反応したり、樹脂が該期中の水分を吸収して該樹脂や色素の劣化が進む場合がある。
【００６６】
上記樹脂のＴｇは、８５℃以上（更に好ましくは１００℃以上）１６０℃以下であることがより好ましい。樹脂のＴｇが上記範囲を下回るときには、色素と樹脂の相互作用、色素間の相互作用などが起こり、色素の変性が発生する頻度が増大傾向にある。また、後述するように、波長選択吸収層は、近赤外線吸収色素、ネオンカット色素、樹脂、界面活性剤および溶剤を含む塗布液を、透明基材上に塗布し乾燥する方法で形成されるが、該樹脂のＴｇが上記範囲を超えると、十分に溶剤を除去するためには高温に加熱する必要が生じ、透明基材にシワが入り平面性が低下したり、色素の劣化が発生し易くなったりする。他方、低温での乾燥を行うと、乾燥時間の長時間化は避けられず、生産性が著しく悪化する傾向にある。また、乾燥が不十分となると、波長選択吸収層中の塗布液溶剤の残留量が増大する。波長選択吸収層中の残留溶剤量が多くなると、樹脂の見かけのＴｇが低下するため、色素の変性が生じ易くなる。
【００６７】
樹脂と近赤外線吸収色素との合計量中の近赤外線吸収色素の含有量は、１質量％以上１０質量％以下とすることが好ましい。より好ましくは１．５質量％以上５質量％以下である。また、樹脂とネオンカット色素との合計量中のネオンカット色素の含有量は、０．１質量％以上１０質量％以下（より好ましくは５質量％以下）とすることが好ましい。
【００６８】
近赤外線吸収色素および／またはネオンカット色素の含有量が少な過ぎると、波長選択吸収層に、目的とする近赤外線吸収能および／またはネオン光吸収能を付与するためには、該層を厚くしなければならない。よって、波長選択吸収層を形成するための塗布液の塗布量も増大することから、乾燥効率を高めるために、高温で及び／または長時間乾燥することが必要となる。その結果、高温で乾燥した場合には、色素の劣化や透明基材の平面性不良が発生し易くなり、乾燥が長時間化すると生産性が悪化する。他方、近赤外線吸収色素および／またはネオンカット色素の含有量が多過ぎると、色素間の相互作用が生じ易くなり、たとえ波長選択吸収層中の残留溶剤量を低減したとしても、色素の経時的な変性が起こり易くなる。
【００６９】
本発明の波長選択吸収フィルムは、フィルムＴＤ方向での色調の変動が抑制されたものであると共に、波長選択吸収層の外観が極めて良好なものである点に特徴がある。波長選択吸収層の外観を向上させる観点からは、該層を形成するための塗布液において、界面活性剤を含有させることが重要である。よって、本発明のフィルムの波長選択吸収層には、この界面活性剤が含まれることとなる。
【００７０】
界面活性剤を上記塗布液に含有させることにより、波長選択吸収層の外観、特に塗布液に包含されていた微小な泡に起因する抜け、異物などの付着による凹み、乾燥工程でのハジキなどが改善される。さらには、界面活性剤は、塗布液の塗布・乾燥により波長選択吸収層表面にブリードすることにより、該表面の滑り性を向上させる作用を発揮する。よって、波長選択吸収層表面、あるいはフィルムの該層と反対側の表面に、上記粒子の添加などにより表面凹凸を形成しなくても、ハンドリング性が良好となり、波長選択吸収フィルムをロール状に巻き取ることができる。
【００７１】
界面活性剤としては、公知の界面活性剤（カチオン系界面活性剤、アニオン系界面活性剤、ノニオン系界面活性剤）を用いることができるが、界面活性剤の共存による色素（近赤外線吸収色素、ネオンカット色素）の劣化を抑制する観点から、分子中に極性基を有していないノニオン系界面活性剤が好ましく、さらには、シリコン系界面活性剤またはフッ素系界面活性剤が、界面活性能に優れる点で推奨される。
【００７２】
シリコン系界面活性剤としては、アミノシラン、アクリルシラン、ビニルベンジルシラン、ビニルベンジシルアミノシラン、グリシドシラン、メルカプトシラン、ジメチルシランなどのシラン化合物；ポリジメチルシロキサン、ポリアルコキシシロキサン、ハイドロジエン変性シロキサン、ビニル変性シロキサン、ビトロキシ変性シロキサン、アミノ変性シロキサン、カルボキシル変性シロキサン、ハロゲン化変性シロキサン、エポキシ変性シロキサン、メタクリロキシ変性シロキサン、メルカプト変性シロキサン、フッ素変性シロキサン、アルキル基変性シロキサン、フェニル変性シロキサン、アルキレンオキシド変性シロキサンなどのシロキサン化合物；などが挙げられる。
【００７３】
フッ素系界面活性剤としては、４フッ化エチレン；パーフルオロアルキルアンモニウム塩、パーフルオロアルキルスルホン酸アミド、パーフルオロアルキルスルホン酸ナトリウム、パーフルオロアルキルカリウム塩、パーフルオロアルキルカルボン酸塩、パーフルオロアルキルスルホン酸塩、パーフルオロアルキルエチレンオキシド付加物、パーフルオロアルキルトリメチルアンモニウム塩、パーフルオロアルキルアミノスルホン酸塩、パーフルオロアルキルリン酸エステル、パーフルオロアルキルアルキルベタイン、パーフルオロアルキルハロゲン化物などのパーフルオロアルキル化合物；などが挙げられる。
【００７４】
なお、界面活性剤のＨＬＢ（Ｈｙｄｒｏｐｈｉｌｉｃ−Ｌｙｐｈｏｉｌｉｃ−Ｂａｌａｎｃｅ）は、３以上１２以下であることが好ましい。ＨＬＢが低過ぎると、界面活性能が不足し、波長選択吸収層の外観向上効果が不十分となる場合がある。他方、ＨＬＢが大き過ぎると、上述の滑り性向上効果が低下傾向にある他、波長選択吸収層の吸水性が増大するため、色素の経時安定性が低下する傾向にある。上記ＨＬＢとは、界面活性剤と親水性と親油性の均衡を示す指標であり、親水性の最も弱いものを１とし、親水性の最も強いものを４０と定義している。すなわち、ＨＬＢが高いほど水溶性に近づき、低いほど油溶性に近づくことを意味する。
【００７５】
波長選択吸収層中の上記界面活性剤の含有量は、０．０１質量％以上２質量％以下とすることが望ましい。界面活性剤の含有量が少なすぎると、界面活性剤を使用することによる波長選択吸収層の外観向上効果や、滑り性向上効果が不十分となることがある。他方、界面活性剤の含有量が多すぎると、波長選択吸収層の吸水性が増大するため、近赤外線吸収色素の経時安定性が低下することがある。
【００７６】
波長選択吸収層を形成するための塗布液は、近赤外線吸収色素、ネオンカット色素、樹脂、界面活性剤、および有機溶剤を含有するものである。有機溶剤は、色素や樹脂を溶解または分散させること、および塗工性を向上させることを目的として用いられる。塗布液は、塗工性向上の観点から、色素や樹脂を別々に溶解または分散させた後混合し、必要に応じて更に有機溶剤で希釈して、固形分濃度を適切な範囲に調整する方法で作製することが好ましい。
【００７７】
有機溶剤としては、メタノール、エタノール、ｎ−プロパノール、イソプロパノール、ｎ−ブタノール、トリデシルアルコール、シクロヘキシルアルコール、２−メチルシクロヘキシルアルコールなどのアルコール類；エチレングリコール、ジエチレングリコール、トリエチレングリコール、ポリエチレングリコール、プロピレングリコール、ジプロピレングリコール、グリセリンなどのグリコール類；エチレングリコールモノメチルエーテル、エチレングリコールモノエチレンエーテル、エチレングリコールモノブチルエーテル、ジエチレングリコールモノメチルエーテル、ジエチレングリコールモノエチルエーテル、ジエチレングリコールブチルエーテル、エチレングリコールモノメチルエーテルアセテート、エチレングリコールモノエチルアセテート、エチレングリコールモノブチルアセテート、ジエチレングリコールモノメチルアセテート、ジエチレングリコールモノエチルアセテート、ジエチレングリコールモノブチルアセテートなどのグリコールエーテル類；酢酸エチル、酢酸イソプロピル、酢酸ｎ−ブチルなどのエステル類；アセトン、メチルエチルケトン、メチルイソブチルケトン、シクロヘキサノン、シクロペンタノン、イソホロン、ジアセトンアルコールなどのケトン類；などが挙げられる。これらの有機溶剤は、単独で、あるいは２種以上を混合して使用することができる。
【００７８】
上記有機溶剤の中でも、色素の溶解性に優れるケトン類が好適であり、塗布液の含有する全有機溶剤量に対するケトン類の量を、３０質量％以上８０質量％以下とすることが好ましい。ケトン類以外の有機溶剤は、塗布液のレベリング性や乾燥性を考慮して選定すればよい。
【００７９】
有機溶剤の沸点は１００℃以上１８０℃以下が好ましい。有機溶剤の沸点が低過ぎる場合には、塗工中に塗布液の固形分濃度が変化し易くなる。特に波長選択吸収フィルムの製造が長時間にわたる場合には、塗布量の経時変化が顕著となり、生産開始時と生産終了時点で、波長選択吸収フィルムの色調が大きく変化することがある。他方、有機溶剤の沸点が高過ぎると、波長選択吸収層中の残留溶剤量が増大し易いことから、色素の経時安定性が悪化傾向にあり、特に高温高湿下で長期間保管（例えば、６０℃、相対湿度９５％、５００時間）した場合に、フィルムの透過率や色調の変化が大きくなる傾向にある。
【００８０】
近赤外線吸収色素、ネオンカット色素、樹脂および界面活性剤を有機溶剤中に溶解または分散させる方法としては、加温下での撹拌、分散、粉砕などの方法が採用できる。溶解時に加温することにより、色素および樹脂の溶解性を高めることができ、未溶解物による外観不良を防ぐことができる。また、樹脂および色素を有機溶剤中で分散または解砕して、例えば、平均粒子径が０．３μｍ以下の微粒子状態で塗布液中に分散させることにより、透明性に優れる波長選択吸収層を形成することが可能となる。分散機または解砕機としては、公知のものを用いることができる。具体的には、ボールミル、サンドミル、アトライター、ロールミル、アジテータ、コロイドミル、超音波ホモジナイザー、ホモミキサー、パールミル、湿式ジェットミル、ペイントシェーカー、バタフライミキサー、プラネタリーミキサー、ヘンシェルミキサーなどが挙げられる。
【００８１】
また、大きさが１μｍ以上の異物や未溶解物（纏めて「異物」という）を含む塗布液をそのまま用いて波長選択吸収層を形成した場合には、該異物の周囲に凹みなどが発生し、１００〜１０００μｍサイズの欠点となるなど、外観が悪化する場合がある。よって、塗布に先立って、塗布液中の異物をフィルターなどで濾過して除去することが好ましい。フィルターとしては各種のものが好適に使用できるが、特に、大きさが１μｍ以上の異物を９９％以上除去可能なフィルターを用いることが好ましい。
【００８２】
塗布液中の固形分濃度（近赤外線吸収色素、ネオンカット色素、樹脂、および界面活性剤を含む）は、１０質量％以上３０質量％以下とすることが好ましい。より好ましくは１２質量％以上２５質量％以下である。塗布液の固形分濃度が低過ぎると、塗布液中の有機溶剤量が多くなるため、波長選択吸収層形成の際の乾燥が長時間化し、生産性が悪化するばかりか、波長選択吸収層中の残留溶剤量が増大し、色素の経時安定性が悪化傾向にあり、特に高温高湿下で長期間保管（例えば、６０℃、相対湿度９５％、５００時間）した場合に、フィルムの透過率や色調の変化が大きくなる傾向にある。他方、塗布液の固形分濃度が高過ぎると、塗布液の粘度が大きくなりレベリング性が不足して波長選択吸収層の外観不良が発生することがある。
【００８３】
ちなみに、塗布液の粘度は、１０ｃｐｓ以上３００ｃｐｓ以下に調整することが、波長選択吸収層の外観向上の観点から好ましい。塗布液の粘度を上記範囲内に調整するには、固形分濃度を調整するか、粘度の低い有機溶剤を用いればよい。なお、塗布液の上記粘度は、Ｂ型粘度計により測定した値である。
【００８４】
＜波長選択吸収フィルムの製造方法＞
波長選択吸収フィルムを製造するには、例えば、近赤外線吸収色素、ネオンカット色素、樹脂、界面活性剤および有機溶剤を含有する上記塗布液を、透明基材上に連続的に塗布する工程、および連続的に乾燥する工程により、透明基材上に波長選択吸収層を連続的に形成する方法が採用できる。この際、塗布液の塗布をキスコート方式で行い、透明基材の塗布部におけるＭＤ方向の張力を０．５Ｎ／ｍｍ2以上１．２Ｎ／ｍｍ2以下（より好ましくは１．０Ｎ／ｍｍ2以下）に制御することで、ＴＤ方向における色調の変動が抑制されたフィルム、すなわち、上記測定法（Ａ）により求められるＴＤ方向の色差Δの最大値が上記上限値以下に制御されたフィルムを得ることができる。
【００８５】
キスコート方式では、塗布の際には、透明基材の片面（塗布面）のみが、塗布液を塗布するための塗布ロールと接触し、他面はフリーの状態（何にも接触しない状態）である。塗布液の塗布の際に、透明基材の塗布面と反対面がロールなどに接触することによって、該ロール表面に異物が付着している場合や、該ロール表面の微小突起などが形成されている場合には、波長選択吸収層の外観にも影響が及ぶこともあるが、キスコート方式を採用すれば、こうした影響を回避できるため、より波長選択吸収層の外観をより均一とすることができる。
【００８６】
キスコート方式を採用して、透明基材上に塗布液を安定して塗布するには、透明基材の塗布部の前後にロールを設置し、透明基材のＭＤ方向に張力をかけて塗布部の平面性を維持するが、この際の張力を上記範囲内に制御することで、透明基材のＴＤ方向に均一に塗布液を塗布できるため、フィルムＴＤ方向における色調の変動が高度に抑制される。上記張力が低過ぎると、透明基材の走行性が不良となり、蛇行などが生じ易くなり、フィルムＴＤ方向に亘って塗布液の塗布の均一性が損なわれて、フィルムＴＤ方向で色調変動が生じ易くなる。他方、上記張力が高過ぎると、透明基材がロール（塗布部の前後のロール）の中央部に寄り、走行方向（ＭＤ方向）と平行にトタン状の波が発生し、透明基材の幅方向において、キスロール（塗布ロール）と透明基材の接触の均一性が損なわれるため、却ってフィルムＴＤ方向の色調の変動が大きくなることがある。
【００８７】
透明基材の塗布部におけるＭＤ方向の張力は、該塗布部の前後に設置されたロールの回転数のバランスを調整することで制御できる。また、フィルム走行時の上記張力は、例えば、ロールへの荷重をロードセルにより測定するといった一般的な方法により測定できる。
【００８８】
また、フィルムを製造するに当たり、上記乾燥工程後に、オンラインでフィルムの色調および／または特定波長の光線透過率を測定し、該測定結果に応じて塗布液の塗工条件および／または乾燥条件を調整することで、フィルムＭＤ方向にわたって色調の変動が抑制されたフィルム、すなわち、上記測定法（Ａ）により求められるＭＤ方向の色差Δの最大値が上記上限値下限値以下に制御されたフィルムを得ることができる。
【００８９】
塗工条件としては、塗布液の塗布量を調整することが挙げられる。塗布液の塗布量は、フィルムのＬ値に影響を与えるため、例えば、製造中のフィルムの色調をオンラインで随時監視し、Ｌ値が高いときには塗布液の塗布量が多くなるように、他方、Ｌ値が低いときには、塗布液の塗布量が少なくなるように変更する。変更後の色調（Ｌ値）の変動が収まれば、その塗布量でフィルム製造を継続し、そうでない場合は、再び塗布量の変更を行う。
【００９０】
塗布液の塗布量は、例えば、後述のリバースグラビア・キスコート装置で塗布を行う場合には、フィルムの走行速度Ｆに対するグラビアロールの回転速度Ｇの速度比Ｇ／Ｆ、グラビアロールに対するドクターブレードの接圧や接角を変更することで、調整できる。すなわち、塗布量を多くするには、Ｇ／Ｆを大きく、ドクターブレードの接圧を小さく、接角を小さくする方向に調整すればよい。また、塗布量を減じるには、Ｇ／Ｆを小さく、ドクターブレードの接圧を大きく、接角を大きくする方向に調整すればよい。塗布液の塗布量の調整は、いずれか一つの条件を変更して行ってもよく、複数の条件を変更して行っても構わない。
【００９１】
また、乾燥条件としては、乾燥効率を調整することが挙げられる。乾燥効率が変化すると、フィルムのａ値およびｂ値に影響を与えるため、例えば、製造中のフィルムの色調をオンラインで随時監視し、ａ値やｂ値の変化が生じた場合には、乾燥効率の調整を行う。乾燥効率を調整する方法としては、フィルムの走行速度（乾燥時間）、乾燥風の温度、風量（風速）を制御すればよい。すなわち、より乾燥を進めるには、フィルムの走行速度を下げ、乾燥風の温度を上げ、風量を増大させる方向に制御すればよい。他方、より乾燥の程度を落とすには、フィルムの走行速度を高め、乾燥風の温度を下げ、風量を減少させる方向に制御すればよい。乾燥効率の調整は、いずれか一つの条件を変更して行ってもよく、複数の条件を変更して行っても構わない。例えば、ａ値が高い場合および／またはｂ値が低い場合には、乾燥効率を高めるように調整すればよく、他方、ａ値が低い場合および／またはｂ値が高い場合には、乾燥効率を落とすように調整すればよい。
【００９２】
なお、フィルム製造時の色調測定は、フィルムの色差Δ算出のための色調測定と同じ方法が採用できる。
【００９３】
また、フィルム製造時の管理を、特定波長の光線透過率で行う場合には、例えば、測定する波長をネオン光域とすることが好ましい。本発明のフィルムはネオン光域の光を吸収する機能を有するが、ネオン光域は可視光域に含まれるため、この波長域での光線透過率の変化は、フィルムの色調・特性に大きく影響する。この場合、ネオン光域の光の透過率をオンラインで随時監視し、透過率に変動が見られれば、これを安定化するように、塗工条件および／または乾燥条件を制御すればよい。例えば、光線透過率が大きくなる方向へ変動している場合には、塗布液の塗布量を増大させる方向へ変更すればよく、光線透過率が小さくなる方向へ変動している場合には、塗布液の塗布量を減少させる方向へ変更すればよい。塗布液の塗布量や、乾燥効率の調整方法は、色調をオンラインで監視する場合について説明した方法を採用することができる。
【００９４】
特定波長の光線透過率は、例えば、分光光度計（大塚電子社製「ＭＣＰＤ−３０００」など）を用い、波長選択吸収層側から特定波長の光を照射し、室内の空気の透過率を参照値（ブランク）として測定することができる。
【００９５】
透明基材上に塗布液を塗布する方法としては、キスコート方式であり、且つグラビアコート方式（すなわち、グラビア・キスコート方式）で行う方法が好ましく、特に、リバース回転するグラビアロールによって液供給パンから塗布液をかきあげ、ドクターブレートによって余分な塗布液をかき落とす「リバースグラビア・キスコート方式」による塗布方法が好適である。図１にリバースグラビア・キスコート方式を採用した装置を示す。こうしたグラビア・キスコート方式、特にリバースグラビア・キスコート方式を採用することで、より均一な塗布が可能となる。なお、波長選択吸収層は、本質的に連続層である。よって、グラビアコート方式によっても、波長選択吸収層は連続層とする。
【００９６】
上記リバースグラビア・キスコート装置では、直径が８０ｍｍ以下のグラビアロールを用いることが好ましい。直径が大きな場合には、フィルムの走行方向に畝スジが発生し易くなる。リバースグラビアコート装置で用いるドクターブレードは、公知のものが使用可能であるが、少なくとも表面［少なくとも、グラビアロール（グラビアロール上の塗布液）と接触する刃先］がセラミックス製のものが、摩耗し難く塗布液の塗布量を安定化させ易いことから推奨される。勿論、ドクターブレード全体がセラミックス製であることも好ましい。この他、例えば、スウェーデン鋼の表面にニッケルメッキを施したドクターブレードも、セラミックス製のドクターブレードよりは劣るものの摩耗し難く好適である。
【００９７】
リバースグラビア・キスコート装置において、塗布量を制御するための要素としては、上述の通り、フィルムの走行速度に対するグラビアロールの回転数、ドクターブレードを接触させる角度、ドクターブレードの押し圧などが挙げられる。塗布量を増やすためには、グラビアロールの回転数を高くすることが好ましい。フィルムの走行速度Ｆ（ｍ／分）に対するグラビアロールの回転速度Ｇ（ｍ／分）の速度比Ｇ／Ｆを０．８以上１．５以下に制御することが、グラビア目の転写、コート欠陥や塗布量の経時安定性の観点から、より好ましい。速度比Ｇ／Ｆを０．９以上１．２以下に制御することが更に好ましい。速度比Ｇ／Ｆが小さ過ぎると、転写量が少なくなり、グラビア目がレベリングせずに残り易くなる。他方、速度比Ｇ／Ｆが大き過ぎると、横段斑、泡スジなどのコート欠陥が発生し易くなる他、ドクターブレードが磨耗し易くなったり、塗布量の経時安定性が不良となる傾向にあり、キス部の制御（ドクターブレード、基材のＴＤ方向の平行性、ＴＤ方向のキス長などの調整）が困難となる。なお、グロビアロールの回転速度Ｆ（ｍ／分）は、グラビアロールの回転数（回転数／分：ｒｐｍ）にグラビアロールの円周［円周率×ロール直径（ｍｍ）］を乗し、単位をｍ／分に換算することにより算出できる。
【００９８】
ドクターブレードをグラビアロール上の塗布液に接触させる角度としては、内角で２０〜７０°が好ましい。角度が小さ過ぎる場合（グラビアロールをドクターブレードの腹で抑えるような状況）には、グラビアロール表面の塗布液のかき取り力が低下して塗布量が増大する他、ドクターブレードの摩耗は生じ難いものの、ドクターブレードに振動などが発生し易く、波長選択吸収層の外観が悪化し易い。他方、角度が大きい場合（グラビアロールにドクターブレードを突き刺す状況）では、グラビアロール表面の塗布液のかき取り力が向上して塗布量が低下し、ドクターブレードの振動なども発生し難くなるものの、摩耗し易いといった問題が発生する。
【００９９】
ドクターブレードの接圧は、該ブレードが若干しなる程度に調整することが、フィルム幅方向の塗布量を均一化し得る点で好ましい。
【０１００】
塗布液の塗布量は特に制限はないが、乾燥後の量で、１ｇ／ｍ2以上、より好ましくは３ｇ／ｍ2以上であって、５０ｇ／m2以下、より好ましくは３０ｇ／ｍ2以下とすることが推奨される。塗布量が少な過ぎると、近赤外線やネオン光の吸収能が不足することがある。そのため、波長選択吸収層の平面視での単位面積当たりの濃度を増やして、近赤外線やネオン光の吸収能を目的のレベルに調整する必要が生じるが、この場合、色素間の距離が短くなるため、色素間の相互作用が強くなる結果、色素の劣化などが生じ易くなり、経時安定性が低下する傾向にある。
【０１０１】
他方、塗布量が多過ぎると、近赤外線やネオン光の吸収能は十分となるが、可視光域での透過率が低下し、透明性が低下する傾向にあるため、このような波長選択吸収フィルムを適用したプラズマディスプレイでは、輝度が低下することがある。これを回避するには、波長選択吸収層の平面視での色素濃度を減らして、色素間の距離を長くすることにより、可視光域での透過率を高めることも考えられるが、そのためには波長選択吸収層の厚みを大きくせざるを得ず、塗布液の塗布後の乾燥が不十分になり易い。その結果、波長選択吸収層中の残留溶剤量が多くなり、色素の経時安定性が悪化し、特に高温高湿下で長期間保管（例えば、６０℃、相対湿度９５％、５００時間）した場合に、フィルムの透過率や色調の変化が大きくなる傾向にある。一方、乾燥の際の温度を上げたり、時間を長くするなどして乾燥条件を厳しいものとすると、例えば熱に弱い色素（ジインモニウム塩化合物など）が変性し易くなるのみならず、熱による透明基材の平面性不良が発生し易くなる。
【０１０２】
塗布液を塗布した後の乾燥は、熱風乾燥、赤外線ヒーターによる乾燥など、公知の乾燥方法が採用できるが、乾燥速度が速い熱風乾燥が好適である。
【０１０３】
さらに乾燥工程は、下記の第１乾燥工程、第２乾燥工程、および冷却工程からなることが推奨される。
【０１０４】
第１乾燥工程は、塗布後、初期の恒率乾燥の工程である。この工程では、温度：２０℃以上８０℃以下、風速：２ｍ／秒以上３０ｍ／秒以下の風を用いて、乾燥することが好ましい。初期の乾燥条件を厳しくする（風の温度を高く、風量を大きくする）と、塗布液が包含していた泡に由来する微小なコート抜け、微小なハジキ、クラックなどの微小な欠点が波長選択吸収層に発生し易くなる。他方、初期の乾燥条件を甘く（風の温度を低く、風量を小さくする）と、波長選択吸収層の外観は良好となるが、乾燥に長時間を要し、生産性が悪化するなど、コスト面で問題が生じる。なお、第１乾燥工程での乾燥時間（フィルムの通過時間）は、例えば１０〜１２０秒とすることが好ましい。
【０１０５】
第２乾燥工程は、第１乾燥工程後の減率乾燥の工程である。この工程では、第１乾燥工程よりも高温条件とし、波長選択吸収層中の溶剤を減少させる。具体的には、温度：１２０℃以上１８０℃以下の風で乾燥することが好ましい。風の温度が低過ぎると、波長選択吸収層中の溶剤量が減少し難くなる。他方、風の温度が高過ぎると、透明基材に熱シワが発生して平面性不良となり易く、また近赤外線吸収色素やネオンカット色素の熱劣化が生じ易くなる。また、乾燥時間（フィルムの通過時間）は５秒以上１８０秒以下とすることが好ましい。乾燥時間が短い場合には、波長選択吸収層の残留溶剤が多くなり易い。他方、乾燥時間が長い場合は、生産性が低下する他、透明基材に熱シワが発生して平面性不良となり易い。なお、第２乾燥工程での風速は、例えば２〜５０ｍ／秒とすることが推奨される。
【０１０６】
冷却工程は、乾燥工程の最終工程である。この工程では、樹脂（波長選択吸収層中の樹脂）のＴｇ以下の温度の風で冷却し、フィルムがフラットな状態で透明基材の温度を樹脂のＴｇ以下とすることが好ましい。より好ましい風の温度はＴｇ−５℃以下、さらに好ましくはＴｇ−１０℃以下である。フィルムが高温のまま乾燥炉から出た場合には、波長選択吸収層表面が、巻き取りまでの間に、フィルム走行用ロールと接触した際に滑り性が不良となり、該層表面にキズが発生し易くなる他、フィルムにカールなどが発生する場合がある。冷却工程では、風速を、例えば２〜５０ｍ／秒とすることが好ましく、また、冷却時間は、例えば５〜１２０秒とすることが望ましい。
【０１０７】
乾燥工程では、フィルム全長に亘って、乾燥状態が安定するように制御することが好ましい。乾燥状態が変動してしまうと、例えば、波長選択吸収層中の残留溶剤量が多い箇所では色素が劣化し易いため、フィルムＭＤ方向において、色調が変動してしまうことがある。特に塗工初期では、乾燥炉内の蒸発溶剤量が増えていき、徐々にその量が安定するようになるため、塗工開始から５００ｍ程度までは、乾燥効率が変化し易い。乾燥効率を安定化するには、乾燥温度、風（熱風）の風量（風速）、乾燥時間などを調整することで制御できる。
【０１０８】
乾燥温度は、設定温度に対して、例えば±２℃の範囲内に制御することが好ましく、温度制御を精度よく行うと共に、乾燥炉内の実温度が設定温度に達した後、例えば、３０分以上放置して、乾燥温度を安定化させた後に、フィルム製造を行うことが好ましい。温度や風の風量制御を精度よく行うには、精度の高いヒーターやブロアーを使用すればよく、乾燥時間については、精度の高い駆動装置を使用すればよい。
【０１０９】
上記製造方法により得られる波長選択吸収フィルムは、通常、巻き取りコア（紙管や金属管などの芯）に巻き取り、ロール状（すなわち、波長選択吸収フィルムロール）として、保管・運搬などされる。
【０１１０】
＜波長選択吸収フィルムの他の特性＞
本発明の波長選択吸収フィルムは、波長：８００〜１２００ｎｍの近赤外域、および波長：５５０〜６５０ｎｍのネオン光（ネオンオレンジ光）域における透過性が低く、且つネオン光領域を除く可視光域（４００〜８００ｎｍ）における透過率が高いフィルムである。
【０１１１】
上記近赤外域における透過率は低いほど好ましく、例えば、好ましくは４０％以下、より好ましくは３０％以下である。近赤外域における透過率が高過ぎると、プラズマディスプレイ用フィルターに用いた場合に、プラズマディスプレイから放出される近赤外線の吸収が不十分となり、近赤外線リモコンを用いる電子機器の誤動作を十分に防止できなくなることがある。
【０１１２】
また、本発明のフィルムは、上記ネオン光領域の中でも、特に波長：５５０〜６２０ｎｍ、さらには波長：５７０〜６００ｎｍにおいて、シャープな吸収を有することが望ましい。吸収帯が、ネオン光域を中心として広い場合には、可視光域全体としての透過率が低下することになるため、プラズマディスプレイ用フィルターに用いた場合に、プラズマディスプレイの輝度が低下し易くなる。
【０１１３】
ネオン光域における最大吸収波長での透過率は、例えば４０％以下であることが好ましく、３０％以下であることがより好ましい。ネオン光域での透過率が高過ぎると、プラズマディスプレイ用フィルターに用いた場合に、プラズマディスプレイから放出されるネオン光を吸収し、赤の発色を向上させるという効果が不十分となることがある。
【０１１４】
他方、波長：５５０〜６５０ｎｍ以外の可視光域の透過率は、高ければ高いほどよく、５０％以上であることが好ましく、６０％以上であることがより好ましい。これらの波長域における透過率が低過ぎると、透明性が低下することとなるため、プラズマディスプレイ用フィルターに用いた場合に、ディスプレイの輝度が低下し易くなる。
【０１１５】
このように、特定波長における光を選択的に吸収させるための設計方法としては、例えば、近赤外線吸収色素やネオンカット色素を２種以上、適切に配合することが挙げられる。また、これらの特定波長における光の透過率の調整は、近赤外線吸収色素やネオンカット色素の、波長選択吸収層の平面視での単位面積当たりの濃度を適宜変更することで達成できる。
【０１１６】
波長選択吸収層の外観としては、直径が３００μｍ以上、より好ましくは１００μｍ以上のサイズの欠点が存在しないことが望ましい。上記サイズの欠点は、プラズマディスプレイの前面に設置すると輝点となり、光学欠点と認識される頻度が顕著になる。また、波長選択吸収層の薄いスジ、斑などもディスプレイ前面では顕著となり、欠点とされる。これらの外観欠点の発生は、上述の製造方法を採用することで防止できる。
【０１１７】
波長選択吸収フィルムは、高温高湿下で長時間放置されても、各波長域（近赤外域、ネオン光域、ネオン光域をのぞく可視光域）の光線透過率が変化しないことが好ましい。高温高湿下での経時安定性が不良の場合には、プラズマディスプレイ用フィルターに用いた場合に、ディスプレイの映像の色調を変化させてしまうばかりか、近赤外線リモコンを用いた電子機器の誤動作を防止するという本発明の効果が十分に確保できなくなる場合がある。
【０１１８】
上記光線透過率の経時安定性を向上させるには、製造方法の説明において上述した通り、塗布液に用いる溶剤の種類、塗布層の厚み、乾燥条件などの調整により、波長選択吸収層中の残留溶剤量を低減することや、波長選択吸収層の平面視における単位面積あたりの色素濃度を調整することで達成できる。なお、波長選択吸収層の残留溶剤量（塗布液由来の残留溶剤量）は、少なければ少ないほど良いが、例えば、波長選択吸収層全量中、３質量％以下にすることが好ましい。残留溶剤が３質量％以下となれば、経時安定性に実質的な差が見られなくなる。他方、残留溶剤量の更なる低減を目的として、過度に乾燥条件を厳しくすると、フィルムの平面性が不良になるなどの弊害が発生することがある。
【０１１９】
本発明の波長選択吸収フィルムでは、幅（ＴＤ方向の長さ）や長さ（ＭＤ方向の長さ）について特に制限はないが、例えば、幅は０．５ｍ以上であることが好ましく、１ｍ以上であることがより好ましい。幅が上記下限値に満たないフィルムは、一般に幅方向（ＴＤ方向）における色調変動が小さくなるため、本発明の効果が発現し難くなる他、工業的に利用価値の低いものである。また、長さは１００ｍ以上であることが好ましく、３００ｍ以上であることがより好ましい。
【０１２０】
＜波長選択吸収フィルター＞
本発明の波長選択吸収フィルムは、他の構成要素と共に、プラズマディスプレイ用途に好適な波長選択吸収フィルターを構成する。他の構成要素としては、電磁波シールド層、反射防止層、ぎらつき防止層など、従来のプラズマディスプレイ用フィルターが構成要素として採用している各種機能層が挙げられ、これらの層は、波長選択吸収フィルムの波長選択吸収層表面またはその反対面に、直接あるいは粘着剤層を介して積層されるのが一般的である。なお、粘着剤層に用いる粘着剤は、従来公知の粘着剤から、本発明の波長選択吸収フィルターの作用を損なわないもの（例えば、透明性を損なったり、特定波長の光の吸収能を損なったりしないもの）を選択すればよい。
【０１２１】
電磁波シールド層としては、金属メッシュまたは透明導電薄膜が挙げられる。金属メッシュとしては、開口率が５０％以上の金属メッシュ導電層を有しているものが好適である。開口率が小さいと電磁波シールド性は良好となるが、光線透過率が低下する傾向にある。金属メッシュの具体例としては、電気伝導性の高い金属箔にエッチング処理を施してメッシュ状にしたものや、金属繊維を織物状・編物状にしたものや、高分子繊維の表面に金属をメッキなどの手法で付着させた繊維から構成されるものなどが挙げられる。金属メッシュに用いる金属としては、電気電導性が良好で、安定性に問題が無ければ特に制限はないが、加工性、コストなどの観点から、銅、ニッケル、タングステンなどが好適である。
【０１２２】
透明導電薄膜から構成される電磁波シールド層の場合には、その構成材料として、公知の透明導電材料（金属酸化物）が適用できる。透明導電薄膜の導電性をより高めるには、金属酸化物層／金属層／金属酸化物層の如く、金属酸化物層と金属層を３層以上交互に積層した構造を有する多層膜とすることが好ましい。このような構成とすることで、透明導電薄膜の可視光線透過率を高く維持しつつ、導電性を高めることができる。金属酸化物としては、導電性と可視光線透過性が所望する目標値を満足できるのであれば、その種類は特に限定されない。具体的には、酸化錫、インジウム酸化物、インジウム錫酸化物、酸化亜鉛、酸化チタン、酸化ビスマスなどが挙げられる。また、多層構造とする場合の上記金属層に用いられる金属は、導電性向上の観点から、金、銀およびこれらを含む化合物が好適である。
【０１２３】
透明導電薄膜が多層膜であって、例えば、金属酸化物層／金属層／金属酸化物層の３層構造の場合、金属層（例えば、銀層）の厚みは５０〜２００Å（より好ましくは１００Å以下）とすることが好ましい。これよりも金属層が厚い場合には、光線透過率が低下し、薄い場合には抵抗値が大きくなる。また、金属酸化物層の厚みは１００〜１０００Å（より好ましくは５００Å以下）とすることが好ましい。金属酸化物層が厚すぎると着色によりフィルターの色調が変化することがあり、薄い場合には抵抗値の低減効果が不十分となることがある。
【０１２４】
さらに、金属酸化物層／金属層／金属酸化物層／金属層／金属酸化物層のように５層とする場合には、中央の金属酸化物層を、両端の金属酸化物層よりも厚くすることが望ましい。このような構造とすることで、多層膜全体の光線透過率が向上する。
【０１２５】
また、本発明の波長選択吸収フィルムおよび波長選択吸収フィルターでは、光による色素の経時劣化を抑制する目的で、紫外線吸収能を有する層を設けるか、いずれかの層に紫外線吸収能を付与して、耐光性を向上させてもよい。紫外線吸収能を確保するには、例えば、波長選択吸収層、透明基材、粘着剤層、反射防止層、ぎらつき防止層などのいずれかに、紫外線吸収剤を含有させればよいが、透明基材中に紫外線吸収剤を含有させることが特に好ましい。透明基材以外の層は、透明基材に比べて薄くすることが一般的であるため、十分な紫外線吸収能を確保するには、層中の紫外線吸収剤量を多くする必要があり、これにより各層の機能が損なわれることがある。紫外線吸収剤としては、公知の有機系または無機系紫外線吸収剤が使用可能である。
【０１２６】
本発明の波長選択吸収フィルターの実施形態としては、波長選択吸収フィルムとして、透明基材に紫外線吸収剤を含有させて紫外線吸収能を付与し、上記他の機能層（反射防止層など）と粘着剤層を介さずに積層し、プラズマディスプレイのサイズに合わせて切断したものが最も好適であり、例えば、反射防止層を有する場合には、該層がディスプレイと反対側（最表面側）になるように配置し、ディスプレイに直接粘着剤層を介して貼り付けて使用することが推奨される。
【実施例】
【０１２７】
以下、実施例に基づいて本発明を詳細に述べる。ただし、下記実施例は、本発明を制限するものではなく、前・後記の趣旨を逸脱しない範囲で変更実施をすることは、全て本発明の技術的範囲に包含される。なお、本実施例で採用した評価方法は、以下の通りである。
【０１２８】
（１）光線透過率
分光光度計（日立製作所製「Ｕ−３５００型」）を用い、波長：１１００〜２００ｎｍの範囲で、波長選択吸収層側から特定波長の光を照射し、室内の空気の透過率を参照値（ブランク）として測定する。近赤外域での透過率は、波長：９００〜１１０ｎｍの透過率の平均値、ネオン光域での透過率は、波長：５７０〜６００ｎｍでの透過率の平均値、可視光域での透過率は、波長：４５０〜７００ｎｍでの透過率の平均値、で評価する。
【０１２９】
（２）色調
色調の測定は、色差計（日本電色工業社製「ＺＥ−２０００」）を用い、標準光をＤ６５光源とし、視野角を１０度として、波長選択吸収層側に光を照射して行い、Ｌａｂ表示系のＬ値、ａ値、ｂ値を求める。
【０１３０】
（３）色差Δ
後述の各実施例・比較例で得られたフィルムのＴＤ方向について、一方の端部を第１端部、他方の端部を第２端部と決め、該両端部を測定箇所とすると共に、該両端部間において、等間隔に３箇所測定箇所を設け、各測定箇所について上記色調測定法に従って測定されるＬ値、ａ値、ｂ値から、上記式（１）に定義される色差Δを各測定箇所について算出し、これらの内の最も大きな値を、フィルムＴＤ方向の色差Δの最大値とする。
【０１３１】
（４）波長選択吸収層外観
波長選択吸収フィルムを白色フィルム上に置き、３波長の蛍光灯の下で波長選択吸収層面を目視観察し、下記の基準により評価する。
◎：波長選択吸収フィルムを動かしながら観察しても、外観不良が見られない，
○：波長選択吸収フィルムを動かしながら観察すると、外観不良が若干ある，
△：波長選択吸収フィルムを動かしながら観察すると、外観不良が明確に見られる，
×：静止状態で観察しても、外観不良が明確に見られる。
【０１３２】
＜透明基材の作製＞
固有粘度が０．６２ｄｌ／ｇで、粒子を含有させていないＰＥＴ樹脂を、二軸スクリュー押出機に投入し、Ｔダイから２９０℃で溶融押出し、冷却回転金属ロール上で静電印加しながら密着固化させ、未延伸フィルムを得た。次いで、この未延伸フィルムを、ロール延伸機で９０℃に加熱して３．５倍に縦延伸（長手方向延伸）を行い、その後このフィルムに、表１に示す組成のアンカーコート用塗布液を、乾燥後の塗布量が０．５ｇ／ｍ2となるように塗布し、風速：１０ｍ／秒、温度：１２０℃の熱風中を２０秒で通過させて、アンカー層を形成させた。さらに、テンターで１４０℃に加熱して、幅方向に３．７倍延伸した後、２３５℃で幅方向に５％緩和させながら熱処理して、アンカー層を両面に有する透明基材（二軸延伸ＰＥＴフィルム）を得た。得られた透明基材は、厚みが１００μｍ、全光線透過率が９０．２％、ヘーズが０．５％であった。なお、全光線透過率およびヘーズは、ＪＩＳ  Ｋ  ７１３６に規定の方法で測定した値である。得られたフィルムのＴＤ方向について、中央部から１．３ｍ幅でスリットし、波長選択吸収フィルムの作成に用いた。
【０１３３】
【表１】
2005189736.tif 000003
【０１３４】
＜波長選択吸収層形成用塗布液の作製＞
表２に示す組成で各成分を混合し、加温下（４０℃）で色素および樹脂を溶解させ、公称濾過精度：１μｍのフィルムを用いて未溶解物を除去して、塗布液を得た。塗布液の固形分濃度は１７質量％であり、粘度（上述の測定法により求められる粘度）は４０ｃｐｓであった。
【０１３５】
【表２】
2005189736.tif 000004
【０１３６】
実施例１
透明基材に、波長選択吸収層形成用塗布液を、リバースグラビア・キスコート装置を用いて塗布した。装置の塗布ロールは、斜線型グラビアロール（直径：６０ｃｍ、線数：４５線／２．５４ｃｍ、深度：２９０μｍ、セル容積：１３９ｃｍ3／ｍ2）であり、これに、セラミック製ドクターブレードを接触させ、グラビアロールをリバース回転させて塗布した。透明基材の走行速度Ｆは２０ｍ／分、グラビアロールの回転速度は１８ｍ／分とし（速度比Ｇ／Ｆは０．９）、キス長は１０ｍｍ、透明基材の塗布部におけるＭＤ方向の張力は０．７Ｎ／ｍｍ2とした。
【０１３７】
塗布液の塗布後、乾燥炉に導き、４０℃で５ｍ／秒の速度の風中を２０秒で通過させ（第１乾燥工程）、続いて、１５０℃で２０ｍ／秒の速度の風中を２０秒で通過させ（第２乾燥工程）、さらに９０℃で２０ｍ／秒の風中を１０秒で通過させて（冷却工程）、乾燥させた。このようにして、ＴＤ方向：１．２７５ｍの波長選択吸収フィルムを得た。この波長選択吸収フィルムの評価結果を表３に示す。
【０１３８】
実施例２
透明基材の塗布部におけるＭＤ方向の張力を１．０Ｎ／ｍｍ2に変更した他は、実施例１と同様にして、波長選択吸収フィルムを得た。この波長選択吸収フィルムの評価結果を表３に示す。
【０１３９】
実施例３
透明基材の塗布部におけるＭＤ方向の張力を１．２Ｎ／ｍｍ2に変更した他は、実施例１と同様にして、波長選択吸収フィルムを得た。この波長選択吸収フィルムの評価結果を表３に示す。
【０１４０】
実施例４
透明基材の塗布部におけるＭＤ方向の張力を０．５Ｎ／ｍｍ2に変更した他は、実施例１と同様にして、波長選択吸収フィルムを得た。この波長選択吸収フィルムの評価結果を表３に示す。
【０１４１】
実施例５
ドクターブレードの材質をスウェーデン鋼に変更した他は、実施例１と同様にして、波長選択吸収フィルムを得た。この波長選択吸収フィルムの評価結果を表３に示す。
【０１４２】
実施例６
波長選択吸収層形成用塗布液において、固形分濃度が１５質量％となるようにシクロペンタノンとトルエンを等量で増やし、速度比Ｇ／Ｆを１．６に変更した他は、実施例１と同様にして、波長選択吸収フィルムを得た。この波長選択吸収フィルムの評価結果を表３に示す。
【０１４３】
実施例７
ドクターブレードの接角を７５度にし、速度比Ｇ／Ｆを０．８に変更した他は、実施例１と同様にして、波長選択吸収フィルムを得た。この波長選択吸収フィルムの評価結果を表３に示す。
【０１４４】
比較例１
透明基材の塗布部におけるＭＤ方向の張力を１．４Ｎ／ｍｍ2に変更した他は、実施例１と同様にして、波長選択吸収フィルムを得た。この波長選択吸収フィルムの評価結果を表３に示す。
【０１４５】
比較例２
透明基材の塗布部におけるＭＤ方向の張力を０．３Ｎ／ｍｍ2に変更した他は、実施例１と同様にして、波長選択吸収フィルムを製造しようとしたが、塗布液の塗布時に透明基材が蛇行して、波長選択吸収フィルムを良好に巻き取ることができなかった。よって、フィルムの評価は実施していない。
【０１４６】
【表３】
2005189736.tif 000005
【０１４７】
表３から分かるように、実施例１〜７の波長選択吸収フィルムでは、近赤外域とオレンジ色の波長を有する可視光域（ネオン光域）の透過率が低く、オレンジ色以外の可視光域では透過率が高い。さらに、フィルムＴＤ方向での色差Δの最大値が小さく、フィルムＴＤ方向での色調の変動が抑制されている。また、波長選択吸収層の外観も非常に良好である。
【０１４８】
これに対し、比較例１の波長選択吸収フィルムでは、ＴＤ方向の中央部に帯状のスジがＭＤ方向に亘って数本発生し、ＴＤ方向の色調の変動も大きくなった。
【図面の簡単な説明】
【０１４９】
【図１】本発明の実施例で用いたリバースグラビア・キスコート方式の塗布装置の模式図である。
【符号の説明】
【０１５０】
１  塗布液塗布前の透明基材
２  グラビアロール
３  液供給パン
４  ドクターブレード
５  塗布液塗布後の透明基材
【図１】
2005189736.tif 000006